(57)【要約】【課題】リモコンを壁掛けするためのリモコンホルダーであって、その設置箇所の外観を良好に保つことができるリモコンホルダーを提供する。【解決手段】  リモコンホルダー１は、ケース部１０と上蓋部２０と背板部３０を備える。ケース部１０は、壁面Ｗに取り付けられる後板部１１、後板部１１の下端部から前方へ延びる下板部１２、後板部１１の左右の端部からそれぞれ前方へ延びる側板部１３，１４を備える。上蓋部２０は、ケース部１０の上端部に取り付けられ、左右方向に延びる軸回りに回動してケース部１０の上端を開閉する。背板部３０は、ケース部１０の後板部の前面に重ねられる。背板部３０の上端部が上蓋部２０に係合しており、上蓋部２０の開動作時に、上蓋部２０によって背板部３０の上端部が下方へ押圧されることにより、背板部３０が変形して、背板部３０の上下方向における中間部が前方へ突出する。【選択図】図１２
2018148305.tif 000002
【特許請求の範囲】
【請求項１】
壁面に取り付けられる後板部、前記後板部の下端部から前方へ延びる下板部、前記後板部の左右の端部からそれぞれ前方へ延びる側板部を備えたケース部と、
前記ケース部の上端部に取り付けられ、左右方向に延びる軸回りに回動して前記ケース部の上端を開閉する上蓋部と、
前記ケース部の後板部の前面に重ねられる背板部と、を備え、
前記背板部の上端部が前記上蓋部に係合しており、前記上蓋部の開動作時に、前記上蓋部によって前記背板部の上端部が下方へ押圧されることにより、前記背板部が変形して、前記背板部の上下方向における中間部が前方へ突出する、リモコンホルダー。
【請求項２】
請求項１に記載のリモコンホルダーにおいて、
前記下壁部の後部にて左右方向に延びる溝部が設けられ、
前記背板部の下端部が前記溝部に挿入されている、リモコンホルダー。
【請求項３】
請求項１又は２に記載のリモコンホルダーにおいて、
前記背板部の上下方向における中間部にて左右方向に延びる薄肉部が設けられ、前記薄肉部を境界として前記背板部が屈曲可能である、リモコンホルダー。
【請求項４】
請求項３に記載のリモコンホルダーにおいて、
前記背板部における前記薄肉部よりも下方に位置する部分の後面に対する、前記背板部における薄肉部よりも上方に位置する部分の後面の傾斜角度が１８０°よりも小さくなるように、前記背板部の姿勢を規制する規制部が前記後板部に設けられている、リモコンホルダー。
【発明の詳細な説明】
【技術分野】
【０００１】
本発明は、リモコンホルダーに関する。
【背景技術】
【０００２】
例えば、下記特許文献１及び特許文献２に記載されているように、リモコンを壁に掛けるための保持具としてのリモコンホルダーは知られている。リモコンがリモコンホルダーに保持された状態において、リモコンの操作パネルが露出しており、ユーザーはリモコンを操作可能である。
【先行技術文献】
【特許文献】
【０００３】
【特許文献１】特開２０１６−７２８４６号公報
【特許文献２】実用新案登録第３２０１５８３号公報
【発明の概要】
【０００４】
特許文献１のリモコンホルダーは、上方及び前方へ開放されたケース状に形成されている。リモコンホルダーの上方からリモコンの下部が挿入されて、リモコンが保持される。このリモコンホルダーによれば、リモコンの下部が保持されるだけであり、リモコンの上部は露出している。また、特許文献２のリモコンホルダーは、左右一対の爪（スナップフィット）を有している。これらの爪によってリモコンが挟みこまれて、リモコンが保持される。このリモコンホルダーによれば、リモコンのうち、前記爪が当接する部分以外の部分が露出している。したがって、上記従来のリモコンホルダーを用いた場合、リモコン及びリモコンホルダーと壁面との一体感が無く、リモコンホルダーの設置された箇所の外観を良好に保つことができない。
【０００５】
本発明は上記問題に対処するためになされたもので、その目的は、リモコンを壁掛けするためのリモコンホルダーであって、その設置箇所の外観を良好に保つことができるリモコンホルダーを提供することにある。なお、下記本発明の各構成要件の記載においては、本発明の理解を容易にするために、実施形態の対応箇所の符号を括弧内に記載しているが、本発明の各構成要件は、実施形態の符号によって示された対応箇所の構成に限定解釈されるべきものではない。
【０００６】
上記目的を達成するために、本発明の特徴は、壁面（Ｗ）に取り付けられる後板部（１１）、前記後板部の下端部から前方へ延びる下板部（１２）、前記後板部の左右の端部からそれぞれ前方へ延びる側板部（１３，１４）を備えたケース部（１０）と、前記ケース部の上端部に取り付けられ、左右方向に延びる軸（Ｐ，Ｐ）回りに回動して前記ケース部の上端を開閉する上蓋部（２０）と、前記ケース部の後板部の前面に重ねられる背板部（３０）と、を備え、前記背板部の上端部が前記上蓋部に係合しており、前記上蓋部の開動作時に、前記上蓋部によって前記背板部の上端部が下方へ押圧されることにより、前記背板部が変形して、前記背板部の上下方向における中間部（ＴＰ）が前方へ突出する、リモコンホルダー（１）としたことにある。なお、本発明における前後方向とは、前記壁面に垂直な方向を意味する。また、本発明における上下方向とは、鉛直方向を意味し、左右方向とは、前後方向及び上下方向に垂直な方向を意味する。
【０００７】
この場合、前記下壁部の後部にて左右方向に延びる溝部（Ｇ）が設けられ、前記背板部の下端部が前記溝部に挿入されているとよい。
【０００８】
また、この場合、前記背板部の上下方向における中間部にて左右方向に延びる薄肉部が設けられ、前記薄肉部を境界として前記背板部が屈曲可能であるとよい。
【０００９】
本発明によれば、リモコンがリモコンホルダーに収容された状態において、リモコンの上面、下面、及び左右の側面がリモコンホルダーに覆われる。すなわち、リモコンの前面（操作パネル）のみが露出する。よって、従来のリモコンホルダーを用いた場合に比べて、リモコン及びリモコンホルダーと壁面との一体感が高く、リモコンホルダーの設置された箇所の外観を良好に保つことができる。
【００１０】
また、例えば、ネジを用いて、後板部を壁面に固定する場合、後板部に背板部が重ねられることにより、前記ネジが覆い隠される。したがって、リモコンがリモコンホルダーに収容されていない状態におけるリモコンホルダーの外観が良好である。
【００１１】
また、上蓋部を開けた状態でリモコンをリモコンホルダー内に押し込むと、背板部がリモコンに押される。すると、変形していた背板部が復元する。そして、この背板部の動作に連動して、上蓋部が閉じる。すなわち、ユーザーがリモコンをリモコンホルダー内に押し込むだけで、上蓋部が自動的に閉じる。こ上蓋部と背板部とが連動せず、ユーザーが手で上蓋部を閉じなければならない場合に比べて、ユーザーは簡単にリモコンをリモコンホルダーに収容できる。
【００１２】
一方、リモコンがリモコンホルダーに収容された状態において、ユーザーが上蓋部を開けると、上蓋部に連動して背板部が変形する。これにより、リモコンが前方へ少し倒れこむ。したがって、単に上蓋部が開くだけでリモコンが押し出されない場合に比べて、ユーザーはリモコンを掴み易い。
【００１３】
また、本発明の他の特徴は、前記背板部における前記薄肉部よりも下方に位置する部分の後面に対する、前記背板部における薄肉部よりも上方に位置する部分の後面の傾斜角度（α）が１８０°よりも小さくなるように、前記背板部の姿勢を規制する規制部（１１２）が前記後板部に設けられている、リモコンホルダーとしたことにある。
【００１４】
これによれば、上蓋部が開かれて、背板部の上下方向における中間部が後方へ突出するように変形するのではなく、前記中間部が必ず前方へ突出するように変形する。
【図面の簡単な説明】
【００１５】
【図１】本発明に係るリモコンホルダー、及びリモコンホルダーに収容されるリモコンの斜視図である。
【図２】ケース部を右斜め上方から見た斜視図である。
【図３】ケース部を左斜め上方から見た斜視図である。
【図４Ａ】板バネ部を拡大した斜視図である。
【図４Ｂ】左側の側板部の前後方向に垂直な断面であって、板バネ部の前後方向における中央部及びその周辺部を示す断面図であって、
【図５】蓋部品の分解斜視図である。
【図６】背板部に対して上蓋部が回動可能である様子を示す斜視図である。
【図７】ケース部を壁面に取り付ける手順を示す斜視図である。
【図８】ケース部に蓋部品を取り付ける手順を示す斜視図である。
【図９】リモコンホルダー単体の左右方向に垂直な断面であって、上蓋部が閉じた状態を示す断面図である。
【図１０】リモコンホルダー単体の左右方向に垂直な断面であって、上蓋部が開いた状態を示す断面図である。
【図１１】リモコンの下端部がリモコンホルダーに挿入された状態を示す斜視図である。
【図１２】図１１の状態におけるリモコンの側面及びケース部の左右方向に垂直な断面を示す図である。
【図１３】リモコンがリモコンホルダーに収容された状態を示す斜視図である。
【図１４】図１３の状態におけるリモコンの側面及びケース部の左右方向に垂直な断面を示す図である。
【発明を実施するための形態】
【００１６】
本発明の一実施形態に係るリモコンホルダー１について説明する。図１に示すように、リモコンホルダー１は、リモコンＲＣを壁掛けするための保持具である。すなわち、リモコンホルダー１は壁面Ｗに取り付けられる。そして、リモコンホルダー１にリモコンＲＣが収容される。なお、以下の説明において、壁面Ｗに垂直な方向を前後方向と呼ぶ。また、鉛直方向を上下方向と呼ぶ。また、前後方向及び上下方向に垂直な方向を左右方向と呼ぶ。リモコンホルダー１は、ケース部１０、上蓋部２０及び背板部３０を有する。
【００１７】
ケース部１０は合成樹脂製である。図２及び図３に示すように、ケース部１０は、後板部１１、下板部１２及び左右一対の側板部１３，１４を有する。後板部１１、下板部１２及び側板部１３，１４は一体的に形成されている。後板部１１は、上下方向に延設されている。ケース部１０の前方から見て、後板部１１は、上下方向に延びる略長方形を呈する。後板部１１の上下方向の寸法は、リモコンＲＣの上下方向の寸法よりも少し小さく設定され、後板部１１の左右方向の寸法は、リモコンＲＣの左右方向の寸法よりも少し大きく設定されている。リモコンホルダー１が壁面Ｗに取り付けられた状態において、後板部１１の下部１１１（例えば、全体の６／７程度）は、壁面Ｗに平行である（図９参照）。これに対し、後板部１１の上部１１２（例えば、全体の１／７程度）は、壁面Ｗに対して少し傾斜している。すなわち、上部１１２は、下部１１１の上端から上方且つ少し後方へ延びている。下部１１１及び上部１１２の板厚は略同一である。リモコンホルダー１が壁面Ｗに設置された状態において、下部１１１の後面と壁面Ｗとの間には、少し隙間が形成される。
【００１８】
後板部１１の下部１１１には、上下一対の貫通孔ＴＨ１１１，ＴＨ１１１が形成されている（図2及び図３参照）。貫通孔ＴＨ１１１，ＴＨ１１１は、後板部１１の左右方向における中央部に形成されている。後板部１１の下部１１１の前面における貫通孔ＴＨ１１１，ＴＨ１１１の周囲には、円環状の凹部（座繰り）が設けられている。後板部１１の下部１１１の後面における貫通孔ＴＨ１１１，ＴＨ１１１の周囲には、円環状の凸部１１３，１１３（ボス）が形成されている。凸部１１３，１１３の後端の前後方向の位置と、上部１１２の後端（つまり、上部１１２の上端）の前後方向の位置とが略同一である。凸部１１３，１１３の突出高さは、リモコンホルダー１が壁面Ｗに設置された状態における、下部１１１の後面と壁面Ｗとの間の隙間と同一である。
【００１９】
下板部１２は、上下方向に垂直である。下板部１２は、後板部１１の下部１１１の下端から前方及び後方へ延設されている。ケース部１０の上方（又は下方）から見て、下板部１２は、左右方向に延びる略長方形を呈する。下板部１２の前部（後板部１１の下部１１１よりも前方に位置する部分）の前後方向の寸法は、リモコンＲＣの前後方向の寸法よりも少し大きく設定され（図１４参照）、下板部１２の前部の左右方向の寸法は、リモコンＲＣの左右方向の寸法よりも少し大きく設定されている。下板部１２の後部（後板部１１の下部１１１よりも後方に位置する部分）の前後方向の寸法は、前部の前後方向の寸法に比べて小さい。後部の後端の前後方向の位置と、後板部１１の後端（凸部１１３，１１３及び上部１１２）の後端の前後方向の位置とが略同一である。
【００２０】
下板部１２の前部の上面には、左右方向に延びる凸部１２１が形成されている(図２、図３及び図９参照)。凸部１２１は、後板部１１の下部１１１の前面よりも少し前方に位置している。凸部１２１と後板部１１との間に溝部Ｇが形成されている。また、下板部１２の前端部は、上方へ湾曲している。
【００２１】
側板部１３は、左右方向に垂直である。側板部１３は、後板部１１の左端から前方及び後方へ延設されている。ケース部１０の左方（又は右方）から見て、側板部１３は、上下方向に延びる略長方形を呈する。側板部１３の上下方向の寸法は、リモコンＲＣの上下方向の寸法より少し大きく設定され（図１４参照）、側板部１３の前部（後板部１１の下部１１１よりも前方に位置する部分）の前後方向の寸法は、リモコンＲＣの前後方向の寸法よりも少し大きく設定されている。側板部１３の下端は、下板部１２の下面と略同一である。側板部１３の下端は、下板部１２の左端に接続されている。側板部１３の上端は、後板部１１の上端よりも少し上方に位置している。
【００２２】
側板部１３の後部（後板部１１の下部１１１よりも後方に位置する部分）の前後方向の寸法は、側板部１３の前部の前後方向の寸法に比べて小さい。側板部１３の後部の後端の前後方向の位置と、後板部１１の後端（凸部１１３，１１３及び上部１１２）の後端の前後方向の位置及び下板部１２の後端の前後方向の位置とが略同一である。
【００２３】
側板部１３は、内部に空間Ｓを有し、後方へ開放されている（図４Ａ及び図４Ｂ参照）。すなわち、側板部１３は、図２及び図３に示すように、内壁部１３１、外壁部１３２、上壁部１３３、下壁部１３４及び前壁部１３５を有し、空間Ｓは、これらの壁部で囲まれた部分である。内壁部１３１及び外壁部１３２は、左右方向に垂直である。内壁部１３１は、外壁部１３２の右方に位置している。すなわち、内壁部１３１と外壁部１３２との間に、空間Ｓが形成されている。内壁部１３１の上端と外壁部１３２の上端に上壁部１３３が接続され、内壁部１３１の下端と外壁部１３２の下端に下壁部１３４が接続されている。また、内壁部１３１の前端と外壁部１３２の前端に前壁部１３５が接続されている。
【００２４】
内壁部１３１の上端部であって、下板部１２の溝部Ｇの上方に位置する部分には、貫通孔ＴＨ１３１が形成されている(図４Ａ参照)。貫通孔ＴＨ１３１の内周面における下側部分から上方へ延びる板バネＢＳが設けられている（図4Ｂ参照）。板バネＢＳは、左右方向に垂直であり、その上端部側が左右方向へ弾性変形可能である。板バネＢＳには、ケース部１０の内側（図４Ｂにおいて右方）へ突出した、円柱状の突起Ｐ（軸）が形成されている。突起Ｐの先端の上部には、上下方向及び左右方向に対して傾斜した傾斜面ＳＳが形成されている。すなわち、傾斜面ＳＳは、右斜め上方へ向けられている。
【００２５】
なお、上壁部１３３の後部（貫通孔ＴＨ１３１の上方及びその周辺に位置する部分）は、上下方向に略垂直である。一方、上壁部１３３の前部（貫通孔ＴＨ１３１より前方に位置する部分）は、上下方向及び左右方向に対して傾斜している。すなわち、上壁部１３３の前部は、右斜め上方へ向けられている。
【００２６】
側板部１４は、内壁部１３１、外壁部１３２、上壁部１３３、下壁部１３４及び前壁部１３５と同様の、内壁部１４１、外壁部１４２、上壁部１４３、下壁部１４４及び前壁部１４５を備える。側板部１４と側板部１３とは、左右対称であるため、側板部１４の詳細な説明を省略する。
【００２７】
上蓋部２０は、ケース部１０の上端に取り付けられ、左右方向に延びる軸（突起Ｐ，Ｐ）まわりに回動してケース部１０の上端を開閉する。以下の上蓋部２０の説明における各種方向は、上蓋部２０が閉じた状態における方向である。上蓋部２０は、図５に示すように、左右方向に延びる板状に形成されている。上蓋部２０の前部２１の左右方向の寸法は、ケース部１０の左右方向の寸法（外寸）と略同一である。上蓋部２０の後部２２の左右方向の寸法は、ケース部１０の左右方向の寸法（内寸）と略同一である。また、上蓋部２０の前後方向の寸法は、ケース部１０の前後方向の寸法（外寸）と略同一である。
【００２８】
上蓋部２０の前端部は、下方へ湾曲している（図９参照）。上蓋部２０の下面には、前後方向に延びるリブＲが形成されている。リブＲは、上蓋部２０の左右方向における中央部、左端部及び右端部に形成されている。リブＲの後端部ＲＲの上下方向の寸法が前端部ＲＦの上下方向の寸法よりも大きく設定されている(図９参照)。リブＲの後端部ＲＲには、貫通孔ＴＨＲ１及び貫通孔ＴＨＲ２が形成されている。貫通孔ＴＨＲ１が貫通孔ＴＨＲ２の後方に位置している。
【００２９】
背板部３０は、ケース部１０よりも軟質の合成樹脂製である。背板部３０は、詳しくは後述するように、上蓋部２０に組み付けられるとともに、後板部１１の前面に重ねられる。背板部３０は、上下方向に延設されている（図５参照）。背板部３０の左右方向の寸法は、ケース部１０の左右方向の寸法（内寸）と略同一である。背板部３０の上下方向の寸法は、ケース部１０の上下方向の寸法（内寸）と略同一である。背板部３０の板厚は、その上下方向における中間部及び上端部を除き一様である。すなわち、背板部３０の上下方向における中間部に、左右方向に延びる薄肉部ＴＰが設けられている。背板部３０は、薄肉部ＴＰを境界として屈曲可能である。薄肉部ＴＰは、背板部３０が後板部１１に重ねられた状態において、後板部１１の下部１１１と上部１１２との境界の前方に位置している。
【００３０】
また、背板部３０の上端には、左右方向にそれぞれ延びる左右一対の筒状部ＳＰ，ＳＰが形成されている。左側の筒状部ＳＰと右側の筒状部ＳＰの中心軸線は一致している。
【００３１】
図５及び図６に示すように、左側の筒状部ＳＰが、上蓋部２０の左側のリブＲと中央のリブＲとの間に挿入され、右側の筒状部ＳＰが、上蓋部２０の右側のリブＲと中央のリブＲとの間に挿入される。そして、筒状部ＳＰ，ＳＰの中心と、各リブＲの貫通孔ＴＨＲ１の中心を一致させた状態で、シャフトＳＨが筒状部ＳＰ，ＳＰ及び各リブＲの貫通孔ＴＨＲ１に挿入される。このようにして、背板部３０と上蓋部２０とが連結される。図６に示すように、上蓋部２０は、背板部３０に対して回動可能である。以下、背板部３０と上蓋部２０とが連結されて構成された部品を蓋部品４０と呼ぶ。
【００３２】
次に、リモコンホルダー１を壁面Ｗに取り付ける手順について説明する。まず、図７に示すように、ケース部１０の貫通孔ＴＨ１１１，ＴＨ１１１にタッピングネジＳＣ，ＳＣをそれぞれ挿入し、タッピングネジＳＣ，ＳＣを壁に固定する。次に、図８に示すように、ケース部１０の上方から蓋部品４０を下降させ、背板部３０をケース部１０内へ挿入し、背板部３０の下端を溝部Ｇ内へ挿入する。その際、左右のリブＲ，Ｒの下端がそれぞれ左右の突起Ｐ，Ｐの傾斜面ＳＳ，ＳＳにそれぞれ当接して、左右の板バネＢＳ，ＢＳを外側へ弾性変形させる。そして、リブＲ，Ｒが下降して貫通孔ＴＨＲ２，ＴＨＲ２が突起Ｐ，Ｐに達すると、板バネＢＳ，ＢＳが復元し、貫通孔ＴＨＲ２，ＴＨＲ２に突起Ｐ，Ｐが嵌まり込む。これにより、上蓋部２０が突起Ｐ，Ｐのまわりに回動可能に支持される。上蓋部２０が突起Ｐ，Ｐのまわりに回動することにより、ケース部１０の上端が開閉される。なお、上蓋部２０の後部２２は、ケース部１０の内壁部１３１と内壁部１４１との間に位置している。また、図９に示すように、上蓋部２０が閉じた状態において、背板部３０が後板部１１の前面に重ねられている。すなわち、背板部３０の下部が後板部１１の下部１１１に重ねられ、背板部３０の上部が後板部１１の上部１１２に重ねられている。このように、上蓋部２０が閉じた状態において、背板部３０の下部に対して背板部３０の上部が少し屈曲している。すなわち、背板部３０の屈曲角度αは、１８０°よりも小さい。屈曲角度αは、例えば、１７５°である。このように、後板部１１の下部１１１に対して上部１１２を傾斜させておくことにより、背板部３０の屈曲角度αが１８０°より小さくなるように規制される。つまり、上部１１２は、本発明の規制部に相当する。また、上蓋部２０の前部が、側板部１３，１４の上壁部１３３，１４３の上面に当接して、上蓋部２０の閉動作（図９における反時計回りの回動）が規制される。
【００３３】
上記のように、側板部１３，１４に対する上蓋部２０の回動支点（突起Ｐ，Ｐ）と、背板部３０に対する上蓋部２０の回動支点（背板部３０と上蓋部２０との連結部）の位置がずれている。上蓋部２０を開く際、図９に示すように、上蓋部２０の後部が突起Ｐ，Ｐのまわり（図９において時計回り）に回動する。これにより、背板部３０の上端部（背板部３０と上蓋部２０との連結部）が上蓋部２０によって下方へ押圧される。ここで、背板部３０の下端部が溝部Ｇ内に挿入されて背板部３０の下端部の前後方向への移動が規制されている。そのため、背板部３０の上端部が下方へ押圧されることにより、図１０に示すように、背板部３０が薄肉部ＴＰを境界として屈曲変形する。すなわち、背板部３０の上下方向における中間部が前方へ突出する。なお、上蓋部２０の前部２１の左右の端部における後側の面が、側板部１３，１４の上壁部１３３，１４３の上面に当接して、上蓋部２０の開動作（図１０における時計回りの回動）が規制される。
【００３４】
つぎに、ユーザーが、リモコンＲＣをリモコンホルダ−１に収容する手順について説明する。図１１及び図１２に示すように、上蓋部２０が開いた状態において、ユーザーは、リモコンＲＣの後面を背板部３０の下部の前面に沿わせるようにして、リモコンＲＣの下部をケース部１０内へ挿入し、リモコンＲＣを壁面Ｗ側へ押す。すると、背板部３０の屈曲部（薄肉部ＴＰ）が後方へ押圧されて、背板部３０の屈曲角度α（下部と上部との間の角度）が大きくなる。これにより、上蓋部２０の後部が背板部３０の上端部によって上方へ押圧され、上蓋部２０が突起Ｐ，Ｐのまわり（図１１において反時計回り）に回動して、上蓋部２０が閉じる。図１３及び図１４に示すように、リモコンＲＣの前面の下端部が、下板部１２の前端に設けられた湾曲部に係止されるとともに、リモコンＲＣの前面の上端部が、上蓋部２０の前端に設けられた湾曲部に係止される。
【００３５】
つぎに、ユーザーがリモコンＲＣをリモコンホルダ−１から取り出す手順について説明する。上記のように、上蓋部２０を開けると、背板部３０の上下方向における中間部が前方へ突出する。これにより、リモコンＲＣの上側部分が前方へ押し出される（図１１及び図１２参照）。すなわち、リモコンＲＣが少し前方へ倒れこむ。この状態において、ユーザーはリモコンＲＣの上端部又は側面部を掴み、リモコンＲＣをケース部１０から取り出すことができる。
【００３６】
本実施形態によれば、リモコンＲＣがリモコンホルダー１に収容された状態において、リモコンＲＣの上面、下面、及び左右の側面がリモコンホルダー１に覆われており、リモコンＲＣの前面（操作パネル）のみが露出している。よって、従来のリモコンホルダーを用いた場合に比べて、リモコンＲＣ及びリモコンホルダー１と壁面Ｗとの一体感が高く、リモコンホルダー１の設置された箇所の外観を良好に保つことができる。
【００３７】
また、後板部１１に背板部３０が重ねられることにより、タッピングネジＳＣ，ＳＣのヘッド部が覆い隠される。したがって、リモコンＲＣがリモコンホルダー１に収容されていない状態におけるリモコンホルダー１の外観が良好である。
【００３８】
また、上記のように、上蓋部２０を開けた状態でリモコンＲＣをリモコンホルダー１内に押し込むと、背板部３０がリモコンＲＣに押される。すると、屈曲していた背板部３０が復元する（角度αが大きくなる）。そして、この背板部３０の動作に連動して、上蓋部２０が閉じる。すなわち、ユーザーがリモコンＲＣをリモコンホルダー１内に押し込むだけで、上蓋部２０が自動的に閉じる。上蓋部２０と背板部３０とが連動せず、ユーザーが上蓋部２０を手で閉じなければならない場合に比べて、ユーザーは簡単にリモコンＲＣをリモコンホルダー１に収容できる。
【００３９】
一方、リモコンＲＣがリモコンホルダー１に収容された状態において、ユーザーが上蓋部２０を開けると、上蓋部２０に連動して背板部３０が屈曲する。これにより、リモコンＲＣが前方へ少し倒れこむ。したがって、単に上蓋部２０が開くだけでリモコンＲＣが押し出されない場合に比べて、ユーザーはリモコンＲＣを掴み易い。
【００４０】
また、後板部１１の上部１１２が下部に対して少し傾斜している。そして、上蓋部２０を閉じた状態において、背板部３０の下部が後板部１１の下部１１１に重ねられ、背板部３０の上部が後板部１１の上部１１２に重ねられている。すなわち、上蓋部２０が閉じた状態において、背板部３０が少し屈曲している。その屈曲角度αは、１８０°よりも小さい。そのため、上蓋部２０が開かれて、上蓋部２０によって背板部３０の上端が下方へ押圧されると、背板部３０の上下方向における中間部が後方へ突出するように屈曲するのではなく、前記中間部が必ず前方へ突出するように屈曲する。
【００４１】
また、ケース部１０と、上蓋部２０が背板部３０に組み付けられた蓋部品４０と、タッピングネジＳＣ，ＳＣとがユーザーに提供される。ユーザーは、タッピングネジＳＣ，ＳＣを用いてケース部１０を壁面Ｗに固定したのち、蓋部品４０をケース部１０に取り付ける。蓋部品４０をケース部１０に取り付けるに際しては、工具は不要である。そのため、ユーザーは、リモコンホルダー１を簡単に設置できる。
【００４２】
さらに、本発明の実施にあたっては、上記実施形態に限定されるものではなく、本発明の目的を逸脱しない限りにおいて種々の変更が可能である。
【００４３】
例えば、上記実施形態では、背板部３０が薄肉部ＴＰを境界として屈曲するように構成されているが、薄肉部ＴＰを省略し、背板部３０の上端部が下方に押圧されたとき、背板部３０が全体的に湾曲して、その上下方向における中間部が前方に突出するように構成してもよい。
【符号の説明】
【００４４】
１・・・リモコンホルダー、１０・・・ケース部、１１・・・後板部、１２・・・下板部、１３，１４・・・側板部、２０・・・上蓋部、３０・・・背板部、１１３・・・凸部、１２１・・・凸部、１３１・・・内壁部、１３２・・・外壁部、１３３・・・上壁部、１３４・・・下壁部、１３５・・・前壁部、１４１・・・内壁部、１４２・・・外壁部、１４３・・・上壁部、１４４・・・下壁部、１４５・・・前壁部、ＢＳ・・・板バネ、Ｇ・・・溝部、Ｐ・・・突起、Ｒ・・・リブ、ＲＣ・・・リモコン、ＲＦ・・・前端部、ＲＲ・・・後端部、Ｓ・・・空間、ＳＣ・・・タッピングネジ、ＳＨ・・・シャフト、ＳＳ・・・傾斜面、ＴＰ・・・薄肉部、Ｗ・・・壁面、α・・・角度
【図１】
2018148305.tif 000003
【図２】
2018148305.tif 000004
【図３】
2018148305.tif 000005
【図４Ａ】
2018148305.tif 000006
【図４Ｂ】
2018148305.tif 000007
【図５】
2018148305.tif 000008
【図６】
2018148305.tif 000009
【図７】
2018148305.tif 000010
【図８】
2018148305.tif 000011
【図９】
2018148305.tif 000012
【図１０】
2018148305.tif 000013
【図１１】
2018148305.tif 000014
【図１２】
2018148305.tif 000015
【図１３】
2018148305.tif 000016
【図１４】
2018148305.tif 000017